(57)【要約】本発明は、特に自動車用のディスプレイ装置であって、光路に沿ってディスプレイ装置のユーザーに対して正常な方向に投射するための画像を生成する投射モジュールを含み、ディスプレイ装置は反射及び／又は表示素子を含み、反射及び／又は表示素子は休止位置と少なくとも１つの表示位置との間で移動可能であり、ディスプレイ装置は反射及び／又は表示素子が支持体によりその休止位置と少なくとも１つの表示位置との間で移動させられるように反射及び／又は表示素子のための支持体を含み、反射及び／又は表示素子の休止位置は反射及び／又は表示素子の支持体の休止位置決め状態に対応し、反射及び／又は表示素子の表示位置は反射及び／又は表示素子の支持体の表示位置決め状態に対応するディスプレイ装置に関する。ディスプレイ装置は反射及び／又は表示素子及びその支持体がそれらの休止位置においてハウジング内に配置され且つ反射及び／又は表示素子が少なくとも１つの表示位置において少なくとも部分的にハウジングの外側に配置されるようにハウジングを更に含み、ハウジングはサービス開口とサービスカバーとを含み、サービスカバーはサービス開口を覆う。
2017511274.tif 000002
【特許請求の範囲】
【請求項１】
特に自動車用のディスプレイ装置（１０）であって、光路（１２）内に前記ディスプレイ装置（１０）のユーザーの通常の視野方向（１５）に投射するための画像を生成する投射モジュール（１１）を含み、
前記ディスプレイ装置（１０）は反射及び／又は表示素子（１３）を含み、前記反射及び／又は表示素子（１３）は休止位置と少なくとも１つの表示位置との間で移動させることができ、
前記ディスプレイ装置（１０）は前記反射及び／又は表示素子（１３）が支持体によりその休止位置と少なくとも１つの表示位置との間で移動させられるように前記反射及び／又は表示素子（１３）のための支持体を含み、前記反射及び／又は表示素子（１３）の休止位置は前記反射及び／又は表示素子（１３）の支持体の休止位置決め状態に対応し、前記反射及び／又は表示素子（１３）の表示位置は前記反射及び／又は表示素子（１３）の支持体の表示位置決め状態に対応し、
前記ディスプレイ装置（１０）は前記反射及び／又は表示素子（１３）及びその支持体がそれらの休止位置においてハウジング内に配置され且つ前記反射及び／又は表示素子（１３）が少なくとも１つの表示位置において少なくとも部分的にハウジングの外側に配置されるようにハウジングを更に含み、
前記ハウジングがサービス開口とサービスカバー（１９）とを含み、前記サービスカバー（１９）がサービス開口を覆うことを特徴とする、ディスプレイ装置（１０）。
【請求項２】
前記ハウジングはまたディスプレイ開口とディスプレイカバー（１８）とを含み、前記反射及び／又は表示素子（１３）はそれが前記少なくとも１つの表示位置に駆動されると前記ハウジングを出ることを特徴とする、請求項１に記載のディスプレイ装置（１０）。
【請求項３】
前記サービスカバー（１９）を開けることによって前記反射及び／又は表示素子（１３）を変更できることを特徴とする、請求項１又は２に記載のディスプレイ装置（１０）。
【請求項４】
前記反射及び／又は表示素子（１３）は前記ディスプレイ装置（１０）の残りの部分から分離される方法で変更できることを特徴とする、請求項１から３のいずれか一項に記載のディスプレイ装置（１０）。
【請求項５】
前記反射及び／又は表示素子（１３）を複数の異なる表示位置に配置できることを特徴とする、請求項１から４のいずれか一項に記載のディスプレイ装置（１０）。
【請求項６】
前記反射及び／又は表示素子（１３）の異なる表示位置の間で前記反射及び／又は表示素子（１３）は回転及び／又は並進運動を受けることを特徴とする、請求項１から５のいずれか一項に記載のディスプレイ装置（１０）。
【請求項７】
前記反射及び／又は表示素子（１３）はその休止位置と少なくとも１つの表示位置との間でモーター素子によって駆動されることを特徴とする、請求項１から６のいずれか一項に記載のディスプレイ装置（１０）。
【発明の詳細な説明】
【技術分野】
【０００１】
本発明は、特に自動車用のディスプレイ装置に関する。
【背景技術】
【０００２】
特に特許文献１に記載されるようにフロントガラスへの又は反射素子への画像の投射を含む、ヘッドアップディスプレイ（ＨＵＤ）型のディスプレイ装置が知られている。
【０００３】
ヘッドアップディスプレイ装置は、自動車の運転者が自動車の前方スペースから視線をそらすことなく情報を読み取ることができるように、この情報が自動車の前方スペースの視野内に投射されることを可能にする。同時に、情報は車両の運転者の眼の調節を変えることなく読み取ることができる。
【０００４】
車両のユーザーのニーズに応じて、車両のユーザーの頭部（又は目）の複数の位置で反射及び／又は表示素子を使用できることが有利である。
【０００５】
従来技術のこのような装置の欠点は、反射及び／又は表示素子を変更するのにかなりの作業が必要な可能性があることから成る。特許文献２は、ディスプレイ装置の高コストを生じる反射及び／又は表示素子の動きを修正することを提案している。
【先行技術文献】
【特許文献】
【０００６】
【特許文献１】米国特許第５２１４４１３号明細書
【特許文献２】米国特許出願公開第２０１１／０２４２６６８号明細書
【発明の概要】
【発明が解決しようとする課題】
【０００７】
本発明の目的は、特に従来技術の欠点、特に上記のものを克服することであり、また容易に変更することができる反射及び／又は表示素子を有するヘッドアップディスプレイ装置を提案することである。
【課題を解決するための手段】
【０００８】
本発明によれば、この目的は、特に自動車用のディスプレイ装置であって、光路内にディスプレイ装置のユーザーの通常の視野方向に投射するための画像を生成する投射モジュールを含み、ディスプレイ装置は反射及び／又は表示素子を含み、反射及び／又は表示素子は休止位置と少なくとも１つの表示位置との間で移動させることができ、ディスプレイ装置は反射及び／又は表示素子が支持体によりその休止位置と少なくとも１つの表示位置との間で移動させられるように反射及び／又は表示素子のための支持体を含み、反射及び／又は表示素子の休止位置は反射及び／又は表示素子の支持体の休止位置決め状態に対応し、反射及び／又は表示素子の表示位置は反射及び／又は表示素子の支持体の表示位置決め状態に対応し、ディスプレイ装置はまた反射及び／又は表示素子及びその支持体がそれらの休止位置においてハウジング内に配置され且つ反射及び／又は表示素子は少なくとも１つの表示位置において少なくとも部分的にハウジングの外側に配置されるようにハウジングを含み、ハウジングがサービス開口とサービスカバーとを含み、サービスカバーがサービス開口を覆うディスプレイ装置によって達成される。
【０００９】
ディスプレイ装置のこのような実施形態によって、有利なことに反射及び／又は表示素子の変更を単純なやり方で短時間且つ少ない費用で行うことができる。
【００１０】
本発明の別の好ましい改良は、ハウジングはまたディスプレイ開口とディスプレイカバーとを含み、反射及び／又は表示素子はそれが少なくとも１つの表示位置に駆動されるとハウジングを出ることにある。
【００１１】
ディスプレイ装置のこのような実施形態によって、有利なことに反射及び／又は表示素子がその表示位置（又は複数の表示位置のうちの１つの表示位置）に配置されたときに見える過大なディスプレイ開口を設けることなく、ディスプレイ装置の美的外観を作り出すことができる。
【００１２】
本発明の別の好ましい改良は、サービスカバーを開けることによって反射及び／又は表示素子を変更できることにある。
【００１３】
ディスプレイ装置のこのような実施形態によって、有利なことに単に反射及び／又は表示素子を変更するために反射及び／又は表示素子の動きの修正を行う必要性を回避することができる。サービスカバーを開けることによって、有利なことに反射及び／又は表示素子と反射及び／又は表示素子の支持体との間の固定装置にアクセスすることができ、容易に反射及び／又は表示素子を変更することができる。
【００１４】
本発明の一変形例によれば、反射及び／又は表示素子がディスプレイ装置の残りの部分から分離される方法で変更できることも好ましい。
【００１５】
従って、本発明によれば、有利なことに反射及び／又は表示素子を変更するコストを大幅に削減することができる。
【００１６】
本発明の１つの好ましい改良は、反射及び／又は表示素子を複数の異なる表示位置に配置できることにある。
【００１７】
本発明の１つの好ましい改良は、反射及び／又は表示素子の異なる表示位置の間で反射及び／又は表示素子が回転及び／又は並進運動を受けることにある。
【００１８】
本発明の別の好ましい改良は、反射及び／又は表示素子がその休止位置と少なくとも１つの表示位置との間でモーター素子によって駆動されることにある。
【００１９】
本発明の他の特徴及び利点は、本発明の特定の非限定的な実施形態の以下の記載を読めば明らかであろう。
【図面の簡単な説明】
【００２０】
本発明は非限定的な例として与えられ且つ添付の概略図を参照して説明される好ましい実施形態に関する以下の記載からより良く理解されるであろう。
【図１】本発明によるディスプレイ装置の概略断面図である。
【図２】反射及び／又は表示素子がその表示位置にある本発明によるディスプレイ装置の概略図である。
【図３】反射及び／又は表示素子がその休止位置にある本発明によるディスプレイ装置の概略図である。
【図４】サービスカバーが開位置にある本発明によるディスプレイ装置の概略図である。
【図５】サービスカバーが開位置にある本発明によるディスプレイ装置の概略図である。
【図６】サービスカバーが開位置にある本発明によるディスプレイ装置の概略図である。
【発明を実施するための形態】
【００２１】
添付図面の図１に示されるように、本発明によるディスプレイ装置１０は、光路２内にディスプレイ装置１０のユーザーの通常の視野方向１５に画像を生成する投射モジュール１１を含む。
【００２２】
光路２は通常、少なくとも１つの反射及び／又は表示素子１３を含む。このようにして、光路１２は図１に示されるように（単一の）反射素子を含むことができる。また、光路２は２つの反射素子を含むこともできる。ディスプレイ装置１０は、反射素子１３又は表示素子（例えば、薄膜トランジスタ、ＴＦＴなど）又は反射及び表示素子のいずれかで製造されることができる。
【００２３】
通常の視野方向１５は、ディスプレイ装置１０のユーザー、特に車両運転者の、この人が特にフロントガラス１４を通して車両の前方の外側領域を見ているときの視線方向である。
【００２４】
本発明によれば、反射及び／又は表示素子１３は、フロントガラス１４から離間して配置された素子である。本発明の好ましい実施形態によれば、反射及び／又は表示素子１３は、休止位置と少なくとも１つの表示位置とに配置されることができる。反射及び／又は表示素子１３がその休止位置内に配置されているとき、反射及び／又は表示素子１３は、例えばディスプレイ装置１０のハウジング内に配置されている。
【００２５】
反射及び／又は表示素子１３がその表示位置に配置されているとき、ディスプレイ装置のユーザーが反射及び／又は表示素子１３を通して見ることができるように、反射及び／又は表示素子１３は通常は直立に又は実質的に垂直に配置されている。反射及び／又は表示素子１３の休止位置から表示位置への位置の変更は、回転及び／又は並進運動によって行われる。
【００２６】
反射及び／又は表示素子１３の異なる位置が異なる表示位置に対応し、ユーザーの頭部の異なる高さに適合されることができる。反射及び／又は表示素子１３は通常は、直接又は伝動素子を介してモーター素子によって駆動される。モーター素子は、特にリニアモーター素子又は回転モーター素子、特に電気ステッピングモータ素子であることができる。
【００２７】
本発明によれば、支持要素又は支持体が反射及び／又は表示素子１３に結合されている。支持体又は支持要素は、異なる位置決め状態の間で特にモーター素子によって駆動されることができる。
【００２８】
図２は、本発明によるディスプレイ装置１０の概略図を示す。ディスプレイ装置１０は、その表示位置にある反射及び／又は表示素子１３を含む。
【００２９】
図３は、本発明によるディスプレイ装置１０の概略図を示す。反射及び／又は表示素子１３は、その休止位置にある。ディスプレイ装置１０はハウジング１７を含み、ハウジング１７は光学カバー１６と、ディスプレイカバー１８と、サービスカバー１９とを含む。
【００３０】
図４から６は、サービスカバー１９が開位置にある本発明によるディスプレイ装置１０の概略図を示し、開位置においてサービスカバー１９はハウジング１７のサービス開口を解放する。図５及び図６に示されるように、反射及び／又は表示素子１３は、反射及び／又は表示素子１３を変更することができるように、モーターを用いて又は用いずに少なくとも部分的にディスプレイ装置１０のハウジング１７の外に移動させることができる。
【００３１】
本発明によれば、反射及び／又は表示素子１３の支持体はサービスレバーを含むことができ、サービスレバーを用いて反射及び／又は表示素子１３を反射及び／又は表示素子１３の支持体に固定するか又は支持体から取り外すことができる。サービスレバーがその固定位置にあるとき、反射及び／又は表示素子１３はその支持体に取り付けられている。サービスレバーがその開位置にあるとき、反射及び／又は表示素子１３はその支持体から取り外すことができる。
【符号の説明】
【００３２】
１０  ディスプレイ装置
１１  投射モジュール
１２  光路
１３  反射及び／又は表示素子
１４  フロントガラス
１５  通常の視野方向
１６  光学カバー
１７  ハウジング
１８  ディスプレイカバー
１９  サービスカバー
【図１】
2017511274.tif 000003
【図２】
2017511274.tif 000004
【図３】
2017511274.tif 000005
【図４】
2017511274.tif 000006
【図５】
2017511274.tif 000007
【図６】
2017511274.tif 000008
【国際調査報告】
2017511274.tif 000009
2017511274.tif 000010
2017511274.tif 000011
2017511274.tif 000012
2017511274.tif 000013
2017511274.tif 000014